(57)【要約】【課題】入浴者が邪魔にならない位置から浴槽内の湯水を排水する排水システムを得る。【解決手段】排水システム１２は、追焚往路管１６Ａと追焚復路管１６Ｂとが接続されると共に湯水を加熱する熱源機１４と、浴槽１８内に設けられると共に追焚往路管１６Ａから湯水を供給し、浴槽１８内の湯水を追焚復路管１６Ｂに吸入する循環口２０と、循環口２０に設けられ作動時に循環口２０を介して浴槽１８内の湯水を排水する排水装置２６と、浴槽１８内の入浴者が異常となり得る所定の入浴状態を検出する生体情報センサ９４と、生体情報センサ９４により所定の入浴状態が検出されたときに排水装置２６を作動させる制御ユニット７４と、を有する。【選択図】図１
2018164690.tif 000002
【特許請求の範囲】
【請求項１】
追焚往路管、追焚復路管及び循環ポンプを備えた追焚用の循環配管と、
前記追焚往路管と前記追焚復路管とが接続されると共に、前記追焚復路管から前記追焚往路管に流れる湯水をガスバーナの熱を利用して加熱する熱源機と、
浴槽内に設けられると共に前記追焚往路管と前記追焚復路管とがそれぞれ接続され、前記追焚往路管から前記浴槽内に湯水を供給し、前記浴槽内の湯水を前記追焚復路管に吸入する循環口と、
前記循環口に設けられ、作動時に前記循環口を介して前記浴槽内の湯水を排水する排水手段と、
前記浴槽内の入浴者が異常となり得る所定の入浴状態を検出する入浴状態検出手段と、
前記入浴状態検出手段により前記所定の入浴状態が検出されたときに、前記排水手段を作動させる制御部と、
を有する排水システム。
【請求項２】
前記排水手段は、
前記循環口に接続され、前記浴槽内の湯水を排水する排水配管と、
前記排水配管に設けられ、前記排水配管を開閉する弁と、
を有し、
前記制御部は、前記入浴状態検出手段により前記所定の入浴状態が検出されたときに、前記弁の開動作により前記排水配管を開放する請求項１に記載の排水システム。
【請求項３】
前記排水配管には、前記浴槽内の湯水を排水する排水ポンプが設けられている請求項２に記載の排水システム。
【請求項４】
前記排水手段は、
前記循環口に設けられ、前記浴槽内の湯水が排水される穴部と、
前記循環口に設けられ、前記穴部を閉止する位置と前記穴部を開放する位置とに移動可能に配置された可動部と、
前記可動部を移動させる移動手段と、
を有し、
前記制御部は、前記入浴状態検出手段により前記所定の入浴状態が検出されたときに、前記移動手段により前記穴部を開放する位置に前記可動部を移動させる請求項１に記載の排水システム。
【請求項５】
前記排水手段は、前記循環口に設けられ、前記循環口の一部を破って前記浴槽内の湯水が排水される排水通路を形成する穴開け手段を備え、
前記制御部は、前記入浴状態検出手段により前記所定の入浴状態が検出されたときに、前記穴開け手段を作動させて前記排水通路を形成する請求項１に記載の排水システム。
【請求項６】
前記穴開け手段は、前記循環口に設けられた前記一部を溶融させるヒータを備える請求項５に記載の排水システム。
【請求項７】
前記入浴状態検出手段は、前記浴槽内の入浴者の心拍数を検出する心拍数検出手段、入浴者の位置を検出する人体検出手段、入浴者の血圧を検出する血圧検出手段、及び入浴者の心電図を検出する心電図検出手段の少なくとも１つ以上を備え、
前記制御部は、前記心拍数検出手段、前記人体検出手段、前記血圧検出手段、前記心電図検出手段の少なくとも１つ以上で検出された情報による入浴者の入浴状態に基づき、前記排水手段を作動させる請求項１から請求項６までのいずれか１項に記載の排水システム。
【請求項８】
浴室に設けられると共に、音声を出力する報知手段が配置されたリモートコントローラを備え、
前記制御部は、前記排水手段を作動させる前に、前記浴槽内の湯水が排水されることを前記報知手段から報知する請求項１から請求項７までのいずれか１項に記載の排水システム。
【請求項９】
請求項１から請求項８までのいずれか１項に記載の排水システムと、
前記排水システムに設けられた前記熱源機で加熱された湯水が溜められる浴槽と、
を有する浴室システム。
【発明の詳細な説明】
【技術分野】
【０００１】
本発明は、排水システム及び浴室システムに関する。
【背景技術】
【０００２】
下記特許文献１には、入浴者の心拍数から入浴者の状態を把握し、それに基づいて入浴者の浴槽内における動きがないと検出され、かつ計測された心拍数に異常があったときに、浴槽の底面に配設された自動排水栓から浴槽内の湯水を排出させる浴室システムが開示されている。なお、浴槽の底面に配設された自動排水栓を備え、警報時に自動排水栓を開くシステムとして、特許文献２に記載されたものがある。
【先行技術文献】
【特許文献】
【０００３】
【特許文献１】特開２００４−２７５３４７号公報
【特許文献２】特開２００３−１２３１６２号公報
【発明の概要】
【発明が解決しようとする課題】
【０００４】
上記特許文献１に記載の浴室システムでは、例えば、自動排水栓を後付で施工する場合、浴槽内に設けられているポップアップ排水栓にしか自動排水栓を後付施工することができない。また、浴槽に入浴者が入浴している場合、入浴者の位置によっては、入浴者の体重等により自動排水栓が開かない可能性がある。
【０００５】
本発明は、上記問題点に鑑みてなされたものであり、入浴者が邪魔にならない位置から浴槽内の湯水を排水することができる排水システム及び浴室システムを提供することを目的とする。
【課題を解決するための手段】
【０００６】
請求項１に記載の発明に係る排水システムは、追焚往路管、追焚復路管及び循環ポンプを備えた追焚用の循環配管と、前記追焚往路管と前記追焚復路管とが接続されると共に、前記追焚復路管から前記追焚往路管に流れる湯水をガスバーナの熱を利用して加熱する熱源機と、浴槽内に設けられると共に前記追焚往路管と前記追焚復路管とがそれぞれ接続され、前記追焚往路管から前記浴槽内に湯水を供給し、前記浴槽内の湯水を前記追焚復路管に吸入する循環口と、前記循環口に設けられ、作動時に前記循環口を介して前記浴槽内の湯水を排水する排水手段と、前記浴槽内の入浴者が異常となり得る所定の入浴状態を検出する入浴状態検出手段と、前記入浴状態検出手段により前記所定の入浴状態が検出されたときに、前記排水手段を作動させる制御部と、を有する。
【０００７】
請求項１に記載の発明によれば、熱源機には、追焚用の循環配管に備えられた追焚往路管と追焚復路管とが接続されており、追焚復路管から追焚往路管に流れる湯水がガスバーナの熱を利用して加熱される。浴槽内の循環口は、追焚往路管と追焚復路管とにそれぞれ接続されている。循環配管に備えられた循環ポンプを作動させることで、熱源機から追焚往路管に流れる湯水が循環口から浴槽内に供給され、これと共に浴槽内の湯水が循環口から追焚復路管に吸入され、追焚復路管を通じて熱源機に流れる。これにより、追焚復路管と追焚往路管とに湯水が循環される。また、循環口には、作動時に循環口を介して浴槽内の湯水を排水する排水手段が設けられている。制御部は、入浴状態検出手段により浴槽内の入浴者が異常となり得る所定の入浴状態が検出されたときに、排水手段を作動させることで、循環口を介して浴槽内の湯水が排水される。このため、浴槽内で入浴者が、例えば意識を失ったときなどに、入浴者が浴槽内で溺れてしまうことを未然に防止することができる。また、排水手段により循環口を介して浴槽内の湯水を排水するため、浴槽の底面の自動排水栓から浴槽内の湯水を排水する構成と比べて、入浴者が邪魔にならない位置から浴槽内の湯水を排水することができる。
【０００８】
請求項２に記載の発明は、請求項１に記載の排水システムにおいて、前記排水手段は、前記循環口に接続され、前記浴槽内の湯水を排水する排水配管と、前記排水配管に設けられ、前記排水配管を開閉する弁と、を備え、前記制御部は、前記入浴状態検出手段により前記所定の入浴状態が検出されたときに、前記弁の開動作により前記排水配管を開放する。
【０００９】
請求項２に記載の発明によれば、循環口に接続される排水配管が設けられており、排水配管には、排水配管を開閉する弁が設けられている。制御部は、入浴状態検出手段により所定の入浴状態が検出されたときに、弁の開動作により排水配管を開放する。これにより、浴槽内の湯水が循環口から排水配管を通って排水される。
【００１０】
請求項３に記載の発明は、請求項２に記載の排水システムにおいて、前記排水配管には、前記浴槽内の湯水を排水する排水ポンプが設けられている。
【００１１】
請求項３に記載の発明によれば、排水配管には、浴槽内の湯水を排水する排水ポンプが設けられている。これにより、排水ポンプを作動させることで、浴槽内の湯水が循環口から排水配管を通って強制的に排水される。このため、浴槽内の湯水を循環口及び排水配管により自然排水する場合に比べて、浴槽内の湯水を短時間で排水することができる。
【００１２】
請求項４に記載の発明は、請求項１に記載の排水システムにおいて、前記排水手段は、前記循環口に設けられ、前記浴槽内の湯水が排水される穴部と、前記循環口に設けられ、前記穴部を閉止する位置と前記穴部を開放する位置とに移動可能に配置された可動部と、前記可動部を移動させる移動手段と、を有し、前記制御部は、前記入浴状態検出手段により前記所定の入浴状態が検出されたときに、前記移動手段により前記穴部を開放する位置に前記可動部を移動させる。
【００１３】
請求項４に記載の発明によれば、循環口には、浴槽内の湯水が排水される穴部が設けられており、循環口には、穴部を閉止する位置と穴部を開放する位置とに移動可能に配置された可動部が設けられている。入浴時には、可動部は、穴部を閉止する位置に配置されている。制御部は、入浴状態検出手段により所定の入浴状態が検出されたときに、移動手段により穴部を開放する位置に可動部を移動させる。これにより、浴槽内の湯水が循環口から穴部を通って排水される。循環口に穴部を設けることで、穴部の大きさを所要の排水速度に合わせて設定することができる。
【００１４】
請求項５に記載の発明は、請求項１に記載の排水システムにおいて、前記排水手段は、前記循環口に設けられ、前記循環口の一部を破って前記浴槽内の湯水が排水される排水通路を形成する穴開け手段を備え、前記制御部は、前記入浴状態検出手段により前記所定の入浴状態が検出されたときに、前記穴開け手段を作動させて前記排水通路を形成する。
【００１５】
請求項５に記載の発明によれば、循環口には、循環口の一部を破って排水通路を形成する穴開け手段が設けられている。制御部は、入浴状態検出手段により所定の入浴状態が検出されたときに、穴開け手段を作動させることで、循環口の一部を破って排水通路を形成する。これにより、浴槽内の湯水が循環口に形成された排水通路を通って排水される。また、不可逆で循環口の一部に排水通路が形成されるため、構造が簡単である。
【００１６】
請求項６に記載の発明は、請求項１から請求項５までのいずれか１項に記載の排水システムにおいて、前記穴開け手段は、前記循環口に設けられた前記一部を溶融させるヒータを備える。
【００１７】
請求項６に記載の発明によれば、穴開け手段は、ヒータを備えており、ヒータが通電されることで、熱により循環口の一部が溶融される。これにより、循環口の一部に排水通路を形成することができる。また、可動部が無いため、構造がより一層シンプルになる。
【００１８】
請求項７に記載の発明は、請求項１から請求項６までのいずれか１項に記載の排水システムにおいて、前記入浴状態検出手段は、前記浴槽内の入浴者の心拍数を検出する心拍数検出手段、入浴者の位置を検出する人体検出手段、入浴者の血圧を検出する血圧検出手段、及び入浴者の心電図を検出する心電図検出手段の少なくとも１つ以上を備え、前記制御部は、前記心拍数検出手段、前記人体検出手段、前記血圧検出手段、前記心電図検出手段の少なくとも１つ以上で検出された情報による入浴者の入浴状態に基づき、前記排水手段を作動させる。
【００１９】
請求項７に記載の発明によれば、浴槽内の入浴者の心拍数を検出する心拍数検出手段、入浴者の位置を検出する人体検出手段、入浴者の血圧を検出する血圧検出手段、入浴者の心電図を検出する心電図検出手段の少なくとも１つ以上を備えている。制御部は、心拍数検出手段、人体検出手段、血圧検出手段、心電図検出手段の少なくとも１つ以上で検出された情報による入浴者の入浴状態に基づき、排水手段を作動させる。これにより、例えば、入浴者の心拍数や血圧が許容値よりも高い場合、入浴者が動かない場合などに、浴槽内の湯水を循環口から排水することができる。
【００２０】
請求項８に記載の発明は、請求項１から請求項７までのいずれか１項に記載の排水システムにおいて、前記浴室に設けられると共に、音声を出力する報知手段が配置されたリモートコントローラを備え、前記制御部は、前記排水手段を作動させる前に、前記浴槽内の湯水が排水されることを前記報知手段から報知する。
【００２１】
請求項８に記載の発明によれば、浴室に報知手段が配置されたリモートコントローラを備えており、制御部は、排水手段を作動させる前に、浴槽内の湯水が排水されることを音声で報知手段から入浴者に報知する。このため、入浴者に事前に知らせることなく、いきなり浴槽内の湯水が排水されることが回避される。
【００２２】
請求項９に記載の発明に係る浴室システムは、請求項１から請求項８までのいずれか１項に記載の排水システムと、前記排水システムに設けられた前記熱源機で加熱された湯水が溜められる浴槽と、を有する。
【００２３】
請求項９に記載の発明によれば、請求項１から請求項８までのいずれか１項に記載の排水システムを備えているので、排水手段により循環口を介して浴槽内の湯水を排水することができる。
【発明の効果】
【００２４】
本発明によれば、入浴者が邪魔にならない位置から浴槽内の湯水を排水することができる。
【図面の簡単な説明】
【００２５】
【図１】本発明の第１実施形態に係る排水システムを備えた浴室システムを示す概略構成図である。
【図２】図１に示す排水システムを備えた浴室システムの動作を制御するための制御系のブロック図である。
【図３】図１に示す浴室システムに用いられる浴室用のリモートコントローラを示す正面図である。
【図４】図１に示す浴室システムにおいて、追焚時の湯水の流れを示す概略構成図である。
【図５】図１に示す浴室システムにおいて、異常となり得る状態が検出されたときに、浴槽内の湯水が排水される湯水の流れを示す概略構成図である。
【図６】本発明の第２実施形態に係る排水システムが適用された浴室システムに用いられる浴槽の循環口を示す斜視図であって、循環口の穴部を閉止する位置に可動部が移動した状態を示す図である。
【図７】図６に示す浴室システムにおいて、循環口の穴部を閉止する位置に可動部が移動した状態を示す正面図である。
【図８】図６に示す浴室システムにおいて、循環口の穴部を開放する位置に可動部が移動した状態を示す斜視図である。
【図９】図６に示す浴室システムにおいて、循環口の穴部を開放する位置に可動部が移動した状態を示す正面図である。
【図１０】（Ａ）は、本発明の第３実施形態に係る排水システムが適用された浴室システムに用いられる浴槽の循環口を示す正面図であって、循環口の穴部を閉止する位置に可動部が移動した状態を示す図であり、（Ｂ）は、この状態の可動部を示す正面図である。
【図１１】（Ａ）は、本発明の第３実施形態に係る排水システムが適用された浴室システムに用いられる浴槽の循環口を示す正面図であって、循環口の穴部を開放する位置に可動部が移動した状態を示す図であり、（Ｂ）は、この状態の可動部を示す正面図である。
【図１２】本発明の第４実施形態に係る排水システムが適用された浴室システムに用いられる浴槽の循環口を示す斜視図である。
【図１３】図１２に示す浴室システムにおいて、循環口に設けられたヒータが通電された状態を示す斜視図である。
【発明を実施するための形態】
【００２６】
以下、本発明の実施の形態を図面に基づいて説明する。
【００２７】
〔第１実施形態〕
図１〜図５を用いて、本発明の第１実施形態である排水システムについて説明する。
【００２８】
図１には、本発明の第１実施形態である排水システム１２を備えた浴室システム１０が概略構成図にて示されている。図１に示されるように、浴室システム１０は、湯水を加熱する熱源機１４と、熱源機１４に接続される追焚用の循環配管１６と、循環配管１６が接続されると共に熱源機１４との間で湯水が循環される浴槽１８と、を備えている。
【００２９】
循環配管１６は、熱源機１４に接続されて熱源機１４から浴槽１８に湯水を流す追焚往路管１６Ａと、熱源機１４に接続されて浴槽１８から熱源機１４に湯水を流す追焚復路管１６Ｂと、を備えている。浴槽１８の内壁には、循環口２０が設けられている。循環口２０に追焚往路管１６Ａと追焚復路管１６Ｂとがそれぞれ接続されている。より詳細には、循環口２０は、追焚往路管１６Ａが接続されると共に湯水が浴槽１８内に吐出される吐出口２０Ａと、追焚復路管１６Ｂが接続されると共に浴槽１８内から湯水が吸入される吸入口２０Ｂと、を備えている。また、熱源機１４には、追焚復路管１６Ｂと追焚往路管１６Ａとに湯水を循環させる後述の循環ポンプ４２が設けられている。
【００３０】
さらに、循環口２０には、作動時に循環口２０を介して浴槽１８内の湯水を排水する排水手段としての排水装置２６が設けられている。排水装置２６は、循環口２０に設けられた排水口２０Ｃと、排水口２０Ｃに接続されて浴槽１８内の湯水を排水する排水配管２８と、を備えている。排水装置２６については、後に説明する。
【００３１】
浴槽１８は、浴室２２に設けられている。浴槽１８の側部には、エプロン２４が着脱可能に取り付けられており、エプロン２４の内部に追焚往路管１６Ａ、追焚復路管１６Ｂ及び排水配管２８の一部が配置されている。
【００３２】
浴槽１８の底部には、排水口３４が設けられており、この排水口３４を塞ぐ排水栓３６が設けられている。排水栓３６は、浴槽１８に設けられた図示しない開閉ボタンによって開閉されるようになっている。
【００３３】
熱源機１４は、屋外に配置されている。熱源機１４は、筐体４０の内部に、循環ポンプ４２と、追焚部４４と、給湯部４６とを備えている。筐体４０の底部には、図示しない排気口を介してファン５０が設けられている。
【００３４】
追焚部４４は、熱交換器５２と、ガスバーナ５４とを備えている。図示を省略するが、追焚復路管１６Ｂの湯水流動方向の下流端は、追焚部４４内に配置された熱交換器５２の入口に接続されており、追焚往路管１６Ａの湯水流動方向の上流端は、熱交換器５２の出口に接続されている。熱源機１４の内部には、追焚復路管１６Ｂにおける熱交換器５２よりも湯水流動方向の上流側に循環ポンプ４２が設けられている。ガスバーナ５４には、ガス（都市ガス）を供給する配管（図示省略）が接続されると共に、点火装置（図示省略）が設けられている。追焚部４４では、追焚復路管１６Ｂから追焚往路管１６Ａに流れる湯水が、ガスバーナ５４の熱を利用して加熱されるようになっている。なお、図示を省略するが、熱源機１４では、ガス燃焼で暖房配管を流れる熱媒を加熱し、暖房配管から追焚用の循環配管１６に液−液熱交換器で熱を伝える間接熱交換方式も採用されている。
【００３５】
給湯部４６は、一次熱交換器５６と、二次熱交換器５８と、ガスバーナ６０と、を備えている。給湯部４６には、追焚復路管１６Ｂから分岐された湯張り配管６２が接続されている。湯張り配管６２は、追焚復路管１６Ｂに設けられた循環ポンプ４２よりも湯水流動方向の上流側で、追焚復路管１６Ｂから分岐されている。図示を省略するが、給湯部４６には、二次熱交換器５８に水を供給する給水管が接続されている。さらに、給水管には、給水管から供給される水を二次熱交換器５８に通した後に一次熱交換器５６に通すように配置された配管が接続されている。配管は、一次熱交換器５６の出口で湯張り配管６２の湯水流動方向の上流側に接続されている。なお、図示を省略するが、湯張り配管６２から給湯のための給湯配管が分岐されている。給湯部４６では、二次熱交換器５８から一次熱交換器５６に流れる水がガスバーナ６０の熱を利用して加熱され、湯張り配管６２に湯水が流れるようになっている。
【００３６】
排水装置２６は、排水配管２８を開閉する弁としての電磁弁６４と、排水配管２８に設けられて排水配管２８内の湯水を排水する排水ポンプ６６と、を備えている。また、排水配管２８の下流側の端部は、浴室２２の下部に配設された排水管６８に繋がっている。排水装置２６では、電磁弁６４の開動作により排水配管２８が開放された状態で、排水ポンプ６６が作動されることにより、浴槽１８内の湯水が排水口２０Ｃから排水配管２８を通って排水されるようになっている。
【００３７】
本実施形態の排水システム１２を備えた浴室システム１０は、リモートコントローラ７２（以下、リモコン７２と略称する）と、制御ユニット７４と、を備えている。リモコン７２は、浴室２２の側壁に設けられている。制御ユニット７４は、一例として熱源機１４の内部に設けられている。リモコン７２と制御ユニット７４とはケーブルによって接続されている。
【００３８】
図２には、本実施形態の排水システム１２を備えた浴室システム１０がブロック図にて示されている。図２に示されるように、リモコン７２は、浴室システム１０の運転状況等を表示する表示部７６と、浴室システム１０の所定の運転等を選択する複数のボタン（図３参照）を有する操作部７８と、を備えている。また、リモコン７２は、表示部７６及び操作部７８とそれぞれ電気的に接続されると共にリモコン７２を制御する制御部８０と、制御部８０に電気的に接続されると共に制御ユニット７４との通信を行う通信部８２と、を備えている。また、リモコン７２は、制御部８０と電気的に接続されると共に運転状況等の情報を音声として出力する報知手段としてのスピーカ１００を備えている。さらに、リモコン７２は、制御部８０と電気的に接続されると共に入浴者の生体情報を検出する生体情報センサ９４を備えている。
【００３９】
本実施形態の排水システム１２は、追焚往路管１６Ａ及び追焚復路管１６Ｂを備えた循環配管１６と、熱源機１４と、循環口２０と、循環ポンプ４２と、排水装置２６と、生体情報センサ９４と、制御ユニット７４とを主要な構成要素として有している。
【００４０】
生体情報センサ９４としては、例えば、浴室２２（図１参照）内にいる者（入浴しているとは限らない）の位置を検出する人体検出手段としての人感センサ、入浴者の心拍数を検出する心拍数検出手段としての心拍数センサ、入浴者の血圧を検出する血圧検出手段としての血圧センサ、入浴者の心電図を検出する心電図センサ等の少なくとも１つ以上が設けられている。そして、排水システム１２では、人感センサ、心拍数センサ、血圧センサ、心電図センサ等の少なくとも１つ以上で検出された生体情報による入浴者の入浴状態に基づき、電磁弁６４を開動作させると共に、排水ポンプ６６を作動させる構成とされている。本実施形態では、生体情報センサ９４として、人感センサ、心拍数センサ、血圧センサ、及び心電図センサが設けられている。心拍数センサは、入浴者と非接触の状態で入浴者の心拍数を検出する構成とされている。また、血圧センサも同様に、入浴者と非接触の状態で入浴者の血圧を検出する構成とされている。また、心電図センサも同様に、入浴者と非接触の状態で入浴者の心電図を検出する構成とされている。
【００４１】
生体情報センサ９４としての人感センサで検出された浴室２２内にいる者の位置情報は、制御部８０に伝達される。制御部８０は、浴室２２内にいる者の位置情報に対応する信号を通信部８２から制御ユニット７４に出力する。また、生体情報センサ９４としての心拍数センサで検出された入浴者の心拍数の情報は、制御部８０に伝達される。また、生体情報センサ９４としての血圧センサで検出された入浴者の血圧の情報は、制御部８０に伝達される。さらに、生体情報センサ５２としての心電図センサで検出された入浴者の心電図の情報は、制御部４６に伝達される。制御部８０では、人感センサから出力された位置検出信号が処理されることで、浴室２２内にいる者の位置が特定される。制御部８０では、心拍数センサから出力された心拍数検出信号が処理されることで、入浴者の心拍数が計測される。同様に、制御部８０では、血圧センサから出力された血圧検出信号が処理されることで、入浴者の血圧が計測される。また、同様に、制御部８０では、心電図センサから出力された心電図検出信号が処理されることで、入浴者の心電図が計測される。制御部８０は、入浴者の位置情報、入浴者の心拍数の情報、入浴者の血圧の情報、及び入浴者の心電図の情報に対応する信号をそれぞれ通信部８２から制御ユニット７４に出力する。また、制御部８０は、操作部７８で各ボタン等の操作が行われたときに、各ボタン等の操作に対応する信号を通信部８２から制御ユニット７４に出力する。
【００４２】
制御ユニット７４は、追焚部４４及び給湯部４６（図１参照）の構成機器を動作させる燃焼ユニット８４と、燃焼ユニット８４と電気的に接続されると共に浴室システム１０の全体を制御する制御部８６と、制御部８６と電気的に接続されると共にリモコン７２等との通信を行う通信部８８と、を備えている。制御ユニット７４の通信部８８とリモコン７２の通信部８２とは電気的に接続されている。また、制御ユニット７４は、時間を計測するタイマ９０を備えており、タイマ９０は、制御部８６に電気的に接続されている。タイマ９０は、例えば、入浴時間などを計測する。通信部８８は、循環ポンプ４２、電磁弁６４、及び排水ポンプ６６とそれぞれ電気的に接続されている。制御部８６は、通信部８８を介して信号を送信することで、循環ポンプ４２、電磁弁６４、排水ポンプ６６の動作を制御する。
【００４３】
制御部８６は、各運転を行うためのプログラムなどを記憶したＲＯＭ（読み出し専用メモリ）、リモコン７２や各センサ等から出力された信号に基づくデータを一時的に記憶するＲＡＭ（書き換え可能メモリ）、及び、各プログラムを実行するＣＰＵ（中央演算素子）等を有している。
【００４４】
リモコン７２から出力された浴室２２内にいる者の位置情報、入浴者の心拍数の情報、入浴者の血圧の情報、及び入浴者の心電図の情報に対応する信号は、それぞれ制御ユニット７４の制御部８６に入力されるようになっている。浴室２２内にいる者の位置情報、入浴者の心拍数の情報、入浴者の血圧の情報、及び入浴者の心電図の情報に対応する信号に基づく制御部８６の電磁弁６４の開動作及び排水ポンプ６６の作動の制御については、後に説明する。
【００４５】
図３には、リモコン７２が正面図にて示されている。図３に示されるように、リモコン７２は、ＯＮ/ＯＦＦ状態とする運転スイッチ１０２と、浴槽１８に自動で湯張りを行う風呂自動ボタン１０４と、追焚を行う追焚ボタン１０６と、浴室２２の外部の者の呼び出しを行う呼び出しボタン１１０と、を備えている。これらのスイッチ及び複数のボタンで操作部７８（図２参照）が構成されている。また、リモコン７２は、表示部７６と、スピーカ１００と、生体情報センサ９４と、を備えている。なお、図示を省略するが、リモコン７２には、浴槽１８内の湯水の温度を設定する設定ボタンなど、他のボタンが設けられていてもよい。
【００４６】
図１に示されるように、排水システム１２では、電磁弁６４により排水配管２８が閉止されているときに、浴槽１８内の湯水は、排水配管２８から排水されないようになっている。この状態では、排水配管２８における電磁弁６４と循環口２０の排水口２０Ｃとの間に湯水が溜まっている。また、排水システム１２では、電磁弁６４の開動作により排水配管２８が開放された状態で、排水ポンプ６６を作動させることにより、浴槽１８内の湯水が、循環口２０の排水口２０Ｃから排水配管２８を通って排水されるようになっている。
【００４７】
本実施形態では、生体情報センサ９４は、浴槽１８内の入浴者が異常となり得る所定の入浴状態を検出する入浴状態検出手段として機能している。例えば、制御部８６は、生体情報センサ９４としての人感センサで検出された浴槽１８内の入浴者の位置情報に基づき、入浴者の動きが一定時間以上無いことが検出されたときに、浴槽１８内の入浴者が異常となり得る所定の入浴状態と判定する。又は、制御部８６は、生体情報センサ９４としての心拍数センサによって検出された入浴者の心拍数が、所定の心拍数の一例としての第１の閾値以上となったときに、浴槽１８内の入浴者が異常となり得る所定の入浴状態と判定する。又は、生体情報センサ９４としての血圧センサによって検出された入浴者の血圧が、所定の血圧の一例としての第２の閾値以上となったときに、浴槽１８内の入浴者が異常となり得る所定の入浴状態と判定する。又は、生体情報センサ９４としての心電図センサによって検出された入浴者の心電図から読み取れる情報が、ある一定の条件を満たした場合に、浴槽１８内の入浴者が異常となり得る所定の入浴状態と判定する。制御部８６は、所定の入浴状態と判定されたときに、電磁弁６４を開動作させ、排水配管２８を開放する。本実施形態では、入浴者の心拍数の絶対値が、第１の閾値以上となったときに、電磁弁６４を開動作させるが、入浴者の心拍数の変化分（上昇分）が、所定の心拍数の変化値（上昇値）以上となったときに、電磁弁６４を開動作させるようにしてもよい。同様に、本実施形態では、入浴者の血圧の絶対値が、第２の閾値以上となったときに、電磁弁６４を開動作させるが、入浴者の血圧の変化分（上昇分）が、所定の血圧の変化値（上昇値）以上となったときに、電磁弁６４を開動作させるようにしてもよい。
【００４８】
制御部８６は、電磁弁６４を開動作した後、所定の条件を満たした場合に、電磁弁６４を閉動作させる。本実施形態では、制御部８６は、（１）電磁弁６４を開動作してから所定時間（例えば、１２時間）を経過したとき、（２）リモコン７２の運転スイッチ１０２のＯＦＦ状態とＯＮ状態の両方の操作が行われたとき、（３）自動湯張りを行うためにリモコン７２の風呂自動ボタン１０４が押されたとき、のいずれか１つの条件を満たしたときに、電磁弁６４を閉動作させる。
【００４９】
次に、本実施形態の作用及び効果について説明する。
【００５０】
＜追焚運転＞
浴槽１８に湯水が張られるときは、電磁弁６４により排水配管２８が閉止されている。浴槽１８に湯水が張られた（溜められた）状態で、図３に示されるリモコン７２の追焚ボタン１０６が押されると、図２に示されるリモコン７２の制御部８０から通信部８８を介して制御ユニット７４に追焚指令信号が出力される。制御ユニット７４の制御部８６は、追焚指令信号を検出すると、追焚モードになる。
【００５１】
図４に示されるように、制御ユニット７４の制御部８６（図２参照）は、電磁弁６４により排水配管２８が閉止されている状態で、追焚運転を開始する。追焚運転では、ガスバーナ５４にガスを供給すると共に点火装置を起動させてガスをガスバーナ５４にて燃焼させる。さらに、制御部８６は、循環ポンプ４２を作動させる。
【００５２】
循環ポンプ４２が作動すると、矢印Ａに示されるように、浴槽１８内の湯水が循環口２０の吸入口２０Ｂから吸入され、この吸入された湯水が追焚復路管１６Ｂを通じて熱源機１４の追焚部４４の熱交換器５２に戻される。さらに、熱交換器５２に戻された湯水は、ガスバーナ５４で加熱され、この加熱された湯水は、矢印Ａに示されるように、追焚往路管１６Ａを通じて循環口２０の吐出口２０Ａから浴槽１８内に吐出される。
【００５３】
追焚復路管１６Ｂには、湯水温度センサ（図示省略）が設けられており、湯水温度センサは、追焚復路管１６Ｂを流れる湯水の温度に応じた温度検出信号を出力する。そして、追焚運転時には、制御ユニット７４の制御部８６において、湯水温度センサからの温度検出信号に基づく温度検出値が所定の追焚温度として設定された設定値に達したと判断されるまで（湯水の温度が設定追焚温度になるまで）、上記動作が繰り返される。これにより、浴槽１８内の湯水が追焚される。
【００５４】
＜異常検出時＞
制御部８６は、生体情報センサ９４（図２等参照）によって検出された生体情報に基づき、所定の条件下で異常検出と判定したとき、排水モードとなる。例えば、制御部８６は、生体情報センサ９４としての人感センサで検出された浴槽１８内の入浴者の位置情報に基づき、入浴者の動きが一定時間以上無いことが検出されたとき、生体情報センサ９４としての心拍数センサによって検出された入浴者の心拍数が、所定の心拍数の一例としての第１の閾値以上となったとき、生体情報センサ９４としての血圧センサによって検出された入浴者の血圧が、所定の血圧の一例としての第２の閾値以上となったとき、又は生体情報センサ９４としての心電図センサによって検出された入浴者の心電図から読み取れる情報が、ある一定の条件を満たしたときに、異常検出と判定する。これにより、排水モードとなり、図５に示されるように、制御部８６は、電磁弁６４の開動作により排水配管２８を開放すると共に、排水ポンプ６６を動作させる。これにより、矢印Ｂに示されるように浴槽１８内の湯水は、循環口２０の排水口２０Ｃから排水配管２８に流れる。さらに、湯水は、排水配管２８から排水管６８に排水される。その際、浴槽１８内の排水口２０Ｃより上の湯水が排水される。
【００５５】
制御部８６は、（１）電磁弁６４が開動作されてから所定時間（例えば、１２時間）を経過したとき、（２）リモコン７２の運転スイッチ１０２のＯＦＦ状態とＯＮ状態の両方の操作が行われたとき、（３）リモコン７２の風呂自動ボタン１０４が押されたとき、のいずれか１つの条件を満たしたときに、電磁弁６４を閉動作させて排水配管２８を閉止する。
【００５６】
このような排水システム１２では、制御部８６は、生体情報センサ９４により所定の入浴状態が検出されたときに、排水装置２６を作動させることで、循環口２０の排水口２０Ｃを介して浴槽１８内の湯水を排水する。このため、浴槽１８内で入浴者が、例えば意識を失ったときなどに、入浴者が浴槽１８内で溺れてしまうことを未然に防止することができる。また、排水装置２６により循環口２０の排水口２０Ｃを介して浴槽１８内の湯水を排水するため、浴槽の底面の自動排水栓から浴槽内の湯水を排水する構成と比べて、入浴者が邪魔にならない位置から浴槽１８内の湯水を排水することができる。
【００５７】
また、排水システム１２では、循環口２０の排水口２０Ｃに接続される排水配管２８が設けられており、排水配管２８には、排水配管２８を開閉する電磁弁６４が設けられている。制御部８６は、生体情報センサ９４により所定の入浴状態が検出されたときに、電磁弁６４により排水配管２８を開放する。これにより、浴槽１８内の湯水が循環口２０の排水口２０Ｃから排水配管２８を通ってスムーズに排水される。
【００５８】
また、排水システム１２では、排水配管２８には、排水ポンプ６６が設けられている。これにより、排水ポンプ６６を作動させることで、浴槽１８内の湯水が循環口２０の排水口２０Ｃから排水配管２８を通って強制的に排水される。このため、浴槽内の湯水を循環口及び排水配管により自然排水する場合に比べて、浴槽１８内の湯水を短時間で排水することができる。
【００５９】
さらに、排水システム１２では、生体情報センサ９４は、浴槽１８内の入浴者の心拍数を検出する心拍数センサ、入浴者の位置を検出する人感センサと、入浴者の血圧を検出する血圧センサ、及び入浴者の心電図を検出する心電図センサの少なくとも１つ以上を備えている。制御部８６は、心拍数センサ、人感センサ、血圧センサ、心電図センサの少なくとも１つ以上で検出された情報による入浴者の入浴状態に基づき、排水装置２６を作動させる。これにより、例えば、入浴者の心拍数や血圧が許容値よりも高い場合、入浴者が動かない場合などに、浴槽１８内の湯水を循環口２０の排水口２０Ｃから排水することができる。
【００６０】
なお、排水システム１２には、浴室２２に、音声を出力するスピーカ１００が配置されたリモコン７２が設けられており、制御部８６は、排水装置２６を作動させる前に、浴槽１８内の湯水が排水されることをスピーカ１００から入浴者に報知するようにしてもよい。これにより、入浴者に事前に知らせることなく、いきなり浴槽１８内の湯水が排水されることが回避される。
【００６１】
〔第２実施形態〕
次に、図６〜図９を用いて、本発明の第２実施形態の排水システム１１２を備えた浴室システム１０について説明する。なお、前述した第１実施形態と同一構成部分については、同一番号を付してその説明を省略する。
【００６２】
図６〜図９に示されるように、本実施形態の排水システム１１２では、第１実施形態の排水システム１２の排水装置２６（図１参照）に代えて、浴槽１８の循環口１１６に、該循環口１１６を介して浴槽１８内の湯水を排水する排水手段としての排水装置１１４が設けられている。循環口１１６は、浴槽１８の側壁１８Ａの内面に取り付けられる第１循環口１１８と、浴槽１８の側壁１８Ａの外面に取り付けられる第２循環口１２０と、を備えている。第１循環口１１８は、略円筒状の中空のケース１１８Ａと、ケース１１８Ａの軸方向の一端部から延びると共に浴槽１８の側壁１８Ａに形成された貫通孔１８Ｂに貫通される軸部１１８Ｂと、を備えている。軸部１１８Ｂの外周面には、雄ねじ部１２２が設けられている。そして、雄ねじ部１２２が、第２循環口１２０の挿入口１３０に形成された雌ねじ部（図示省略）に螺合されることで、第１循環口１１８と第２循環口１２０とが浴槽１８の側壁１８Ａを挟み込むように取り付けられている。また、図示を省略するが、排水装置１１４には、第１循環口１１８と第２循環口１２０と側壁１８Ａとをシールするシール部材が設けられている。
【００６３】
ケース１１６Ａの軸方向の他端部を塞ぐ表面１２４には、吐出口２０Ａと吸入口２０Ｂの下側に、浴槽１８内の湯水が排水される穴部１２６が形成されている。穴部１２６は、ケース１１６Ａの円形状の表面１２４の中心部から下側に扇状に形成されており、穴部１２６は、表面１２４の下側の１／４の範囲に形成されている。ケース１１６Ａの内部には、穴部１２６を閉止する位置（図６等参照）と穴部１２６を開放する位置（図８等参照）とに移動可能に配置された可動部１２８が設けられている。
【００６４】
可動部１２８は、回転軸１２８Ａと、回転軸１２８Ａから延設されると共に穴部１２６の外形よりも大きい扇状部１２８Ｂと、を備えている。扇状部１２８Ｂは、ケース１１６Ａの内壁に沿って形成されている。第２循環口１２０の軸方向の第１循環口１１８と反対側には、移動手段としてのモータ１３２が設けられている。モータ１３２は、可動部１２８の回転軸１２８Ａと接続されており、モータ１３２の作動により可動部１２８の回転軸１２８Ａが回転し、扇状部１２８Ｂが穴部１２６を閉止する位置と穴部１２６を開放する位置とに移動するようになっている。制御部１４０は、モータ１３２の作動を制御する。
【００６５】
第２循環口１２０の外周面１２０Ａの上側には、追焚往路管１６Ａと追焚復路管１６Ｂとが接続されている。第２循環口１２０の外周面１２０Ａの下側には、排水管１３４が接続されている。また、図示を省略するが、第２循環口１２０の排水管１３４は、第１循環口１１８の穴部１２６と連通されている。可動部１２８の扇状部１２８Ｂが穴部１２６を開放する位置に移動した状態では、第１循環口１１８の穴部１２６から第２循環口１２０の排水管１３４を通って浴槽１８の湯水が排水されるようになっている。扇状部１２８Ｂにおける穴部１２６の周囲には、扇状部１２８Ｂとケース１１６Ａの内壁とをシールするシール部材１３４（図７等参照）が設けられている。
【００６６】
排水システム１１２では、入浴時には、可動部１２８の扇状部１２８Ｂは、第１循環口１１８の穴部１２６を閉止する位置に配置されている（図６及び図７参照）。制御部１４０は、生体情報センサ９４（図１参照）により所定の入浴状態が検出されたとき（異常検出と判定されたとき）に、排水装置１１４を作動させる。すなわち、制御部１４０は、モータ１３２を作動させることで、可動部１２８の回転軸１２８Ａの回転により、扇状部１２８Ｂを、第１循環口１１８の穴部１２６を閉止する位置から第１循環口１１８の穴部１２６を開放する位置に移動させる（図８及び図９参照）。これにより、第１循環口１１８の穴部１２６から第２循環口１２０の排水管１３４を通って浴槽１８の湯水が排水される。排水システム１１２では、第１循環口１１８に穴部１２６を設けることで、穴部１２６の大きさを所要の排水速度に合わせて設定することができる。
【００６７】
〔第３実施形態〕
次に、図１０及び図１１を用いて、本発明の第３実施形態の排水システム１５２を備えた浴室システム１０について説明する。なお、前述した第１及び第２実施形態と同一構成部分については、同一番号を付してその説明を省略する。
【００６８】
図１０及び図１１に示されるように、本実施形態の排水システム１５２では、第２実施形態の排水システム１１２の排水装置１１４に代えて、循環口１５６に、該循環口１５６を介して浴槽１８（図６参照）内の湯水を排水する排水手段としての排水装置１５４が設けられている。循環口１５６は、浴槽１８の側壁の内面に取り付けられる第１循環口１５８と、浴槽１８の側壁の外面に取り付けられる第２循環口（図示省略）と、を備えている。第１循環口１５８は、略円筒状の中空のケース１５８Ａを備えている。ケース１５６Ａの表面１２４には、浴槽１８内の湯水が排水される矩形状（スリット形状）の複数（本実施形態では４つ）の穴部１６０が形成されている。ケース１５８Ａの内部には、複数の穴部１６０を閉止する位置（図１０（Ａ）参照）と複数の穴部１６０を開放する位置（図１１（Ａ）参照）とに移動可能に配置された可動部１６４が設けられている。本実施形態では、穴部１６０は、ケース１５８Ａの表面１２４の中心部から放射状に４つ配置されている。
【００６９】
本実施形態では、可動部１６４は、回転軸１６４Ａと、回転軸１６４Ａから外側に延びた複数（本実施形態では４つ）の板状部１６４Ｂと、を備えている。板状部１６４Ｂは、回転軸１６４Ａから放射状に４つ配置されており、板状部１６４Ｂの外形が穴部１６０の外形よりも大きい。板状部１６４Ｂには、板状部１６４Ｂとケース１５８Ａの内壁とをシールする矩形状のシール部材１６６（図１０（Ｂ）参照）が設けられている。
【００７０】
排水システム１５２では、入浴時には、可動部１６４は、複数の板状部１６４Ｂが第１循環口１５８の複数の穴部１２６をそれぞれ閉止する位置に配置されている（図１０（Ａ）参照）。制御部（図示省略）は、生体情報センサ９４（図１参照）により所定の入浴状態が検出されたとき（異常検出と判定されたとき）に、排水装置１５４を作動させる。すなわち、排水装置１５４では、モータ（図示省略）を作動させることで、可動部１６４の回転軸１６４Ａが回転し、複数の板状部１６４Ｂが複数の穴部１６０をそれぞれ閉止する位置から複数の板状部１６４Ｂが複数の穴部１６０をそれぞれ開放する位置に移動する（図１１（Ａ）参照）。これにより、第１循環口１５８の複数の穴部１６０から第２循環口（図示省略）を通って浴槽１８（図１参照）の湯水が排水される。
【００７１】
上記の排水システム１５２では、第１循環口１５８に複数の穴部１６０を設けることで、複数の穴部１６０の大きさを所要の排水速度に合わせて設定することができる。また、排水システム１５２では、可動部１６４の回転時にケース１５８Ａと摺動してシール部材１６６が外れる構成でもよい。
【００７２】
〔第４実施形態〕
次に、図１２及び図１３を用いて、本発明の第４実施形態の排水システム１７２を備えた浴室システム１０について説明する。なお、前述した第１〜第３実施形態と同一構成部分については、同一番号を付してその説明を省略する。
【００７３】
図１２に示されるように、本実施形態の排水システム１７２では、第１実施形態の排水システム１２の排水装置２６（図１参照）に代えて、浴槽１８の循環口１７６に、該循環口１７６を介して浴槽１８内の湯水を排水する排水手段としての排水装置１７４が設けられている。循環口１７６は、浴槽１８の側壁１８Ａの内面に取り付けられる第１循環口１７８と、浴槽１８の側壁１８Ａの外面に取り付けられる第２循環口１８０と、を備えている。第１循環口１７８は、略円筒状の中空のケース１７８Ａを備えており、ケース１７８Ａの表面１８６に吐出口２０Ａと吸入口２０Ｂとが設けられている。
【００７４】
第２循環口１８０は、外周面１８０Ａの下部に、穴開け手段としてのヒータ１８２を備えている。ヒータ１８２は、外周面１８０Ａに沿って伝熱線１８２Ａを折り返して配列した構成とされている。第２循環口１８０は、第２循環口１８０の外周面１８０Ａ及びその半径方向内側の部位を構成する一般部１８２Ｂを備えている。さらに、第２循環口１８０は、ヒータ１８２及び一般部１８２Ｂの半径方向内側に、一般部１８２Ｂよりも加熱により溶融しやすい材料で形成された第２循環口１８０の一部としての被溶融部１８４を備えている。一般部１８２Ｂと被溶融部１８４は、例えば、溶融温度が異なる樹脂材料を二色成形することによって一体化されている。制御部１４０は、ヒータ１８２の作動を制御する。
【００７５】
図１２にされるように、排水システム１７２では、通常の入浴時には、ヒータ１８２は、ＯＦＦ状態とされている。制御部１９０は、生体情報センサ９４（図１参照）により所定の入浴状態が検出されたとき（異常検出と判定されたとき）に、排水装置１７４を作動させる。図１３に示されるように、制御部１９０が、ヒータ１８２をＯＮ状態とする（通電する）ことで、ヒータ１８２の熱により被溶融部１８４（図１２参照）が溶融される。これにより、循環口１７６に浴槽１８から連通する排水通路１９２が形成され、浴槽１８の湯水が排水通路１９２を通って排水される。上記の排水システム１７２では、不可逆で循環口１７６における第２循環口１８０の一部に排水通路１９２が形成されるため、構造が簡単である。また、排水システム１７２では、可動部が無いため、構造がより一層シンプルになる。
【００７６】
なお、第４実施形態では、循環口１７６の被溶融部１８４をヒータ１８２により溶融させて排水通路１９２を形成したが、本発明は、この構成に限定されるものではない。例えば、循環口に予め穴開け手段としての薬品を封入した袋を収容し、生体情報センサ９４（図１参照）により所定の入浴状態が検出されたとき（異常検出と判定されたとき）に、機械的に袋を破ることで、薬品により循環口の一部を溶かして排水通路を形成する構成としてもよい。また、例えば、循環口に予め形成された排水通路を塞ぐ蓋部材を設け、生体情報センサ９４（図１参照）により所定の入浴状態が検出されたとき（異常検出と判定されたとき）に、穴開け手段としての機械的な部材により蓋部材を破損させて排水通路を形成し、浴槽内の湯水を排水する構成でもよい。
【００７７】
また、第１〜第４実施形態の排水システムでは、人感センサ、心拍数センサ、血圧センサ、心電図センサのいずれか１つの検出情報の条件を満たしたときに、排水装置を作動させ、浴槽１８内の湯水を排水したが、本発明は、これに限定するものではない。例えば、人感センサ、心拍数センサ、血圧センサ、心電図センサのいずれか２つ以上の検出情報の条件を満たしたときに、排水装置を作動させ、浴槽１８内の湯水を排水する構成としてもよい。
【００７８】
また、第１〜第４実施形態では、リモコン７２に生体情報センサ９４が１個設けられているが、本発明は、この構成に限定されるものではない。例えば、生体情報センサは、浴室の天井や、浴槽内など、他の位置に何個設置してもよい。また、第１〜第４実施形態では、生体情報センサ９４は、入浴者と非接触で検出する方式であったが、本発明は、この構成に限定されるものではなく、浴槽内に、入浴者と接触させて検出する接触型のセンサを設けてもよい。また、例えば、人感センサ、心拍数センサ、血圧センサ、心電図センサのうちの一部（例えば心電図センサ）を接触型のセンサとし、他のセンサを非接触のセンサとしてもよい。
【００７９】
また、第１〜第４実施形態の排水システムでは、制御部８６、１４０、１９０は、生体情報センサ９４で検出された情報に基づいて、異常となり得る所定の入浴状態と判定したが、本発明はこの構成に限定されるものではない。例えば、制御部は、外部からのなんらかの信号を受けて、異常となり得る所定の入浴状態と判定しても構わない。
【００８０】
なお、実施形態を挙げて本発明の実施の形態を説明したが、これらの実施形態は一例であり、要旨を逸脱しない範囲内で種々変更して実施できる。また、本発明の権利範囲がこれらの実施形態に限定されず、本発明の要旨を逸脱しない範囲において種々なる態様で実施し得ることは言うまでもない。
【符号の説明】
【００８１】
１０…浴室システム、１２…排水システム、１４…熱源機、１６…循環配管、１６Ａ…追焚往路管、１６Ｂ…追焚復路管、１８…浴槽、２０…循環口、２０Ａ…吐出口（循環口）、２０Ｂ…吸入口（循環口）、２０Ｃ…排水口（循環口）、２２…浴室、２６…排水装置、２８…排水配管、４２…循環ポンプ、５４…ガスバーナ、６４…電磁弁（弁）、６６…排水ポンプ、７２…リモコン（リモートコントローラ）、７４…制御ユニット（制御部）、８６…制御部、９４…生体情報センサ（心拍数検出手段、人体検出手段、血圧検出手段、心電図検出手段、入浴状態検出手段）、１００…スピーカ（報知手段）、１１２…排水システム、１１４…排水装置（排水手段）、１１６…循環口、１１８…第１循環口（循環口）、１２０…第２循環口（循環口）、１２６…穴部、１２８…可動部、１３２…モータ、１４０…制御部、１５２…排水システム、１５４…排水装置（排水手段）、１５６…循環口、１５８…第１循環口（循環口）、１６０…穴部、１６４…可動部、１７２…排水システム、１７４…排水装置（排水手段）、１７６…循環口、１７８…第１循環口（循環口）、１８０…第２循環口（循環口）、１８２…ヒータ（穴開け手段）、１８４…被溶融部（一部）、１９０…制御部、１９２…排水通路
【図１】
2018164690.tif 000003
【図２】
2018164690.tif 000004
【図３】
2018164690.tif 000005
【図４】
2018164690.tif 000006
【図５】
2018164690.tif 000007
【図６】
2018164690.tif 000008
【図７】
2018164690.tif 000009
【図８】
2018164690.tif 000010
【図９】
2018164690.tif 000011
【図１０】
2018164690.tif 000012
【図１１】
2018164690.tif 000013
【図１２】
2018164690.tif 000014
【図１３】
2018164690.tif 000015